(57)【要約】　　　（修正有）【課題】フレキシブル配線基板を内蔵する機器の組み付けが容易であり、上記フレキシブル配線基板の構造も簡単であるフレキシブル配線基板内蔵の機器を提供する。【解決手段】ＦＰＣ（フレキシブル配線基板）内蔵の機器であるカメラ５０は、カメラ本体ユニット２１と、前カバー５１と、後カバー５２とを有してなり、カメラ本体ユニット２１の前面部には、ＦＰＣユニット４１が取り付けられるが、ＦＰＣユニット４１には、制御用電装部材および折り曲げ部に錫メッキ線４５が実装されている。ＦＰＣユニット４１は、上記折り曲げ部を折り曲げない状態でカメラ本体ユニット２１に取り付けられ、上記本体ユニット２１取り付け後に、錫メッキ線４５をカメラ本体２２に沿って折り曲げるようにしてＦＰＣユニット４１の折り曲げ成形がなされ、その後、前カバー５１，５２が装着される。【選択図】　　図１１
2004070175.tif 000002
【特許請求の範囲】
【請求項１】
ランドと上記ランドに実装された塑性変形可能な導線を有するフレキシブルプリント配線基板と、
機器内部に納められ、上記機器の一部を構成するユニットと、
を有し、上記フレキシブルプリント配線基板を上記ユニットに実装した後に、上記導線を塑性変形させ、この導線に沿って上記フレキシブルプリント配線基板を所定の曲げ形状にして組み立てられる構造を有することを特徴とするフレキシブルプリント配線基板内蔵の機器。
【請求項２】
機器に組み付けられる第１の組み立てユニットと、
上記機器に組み付けられる第２の組み立てユニットと、
上記第２の組み立てユニットに装備された後、上記第１の組み立てユニットに上記第２の組み立てユニットを組み込むときに実装された導線を塑性変形させ、所定の曲げ形状に変形されるフレキシブルプリント配線基板と、
を有することを特徴とするフレキシブルプリント配線基板内蔵の機器。
【請求項３】
機器に組み付けられる第１の組み立てユニットと、
上記機器に組み付けられる第２の組み立てユニットと、
可塑性電気材が実装されたフレキシブルプリント配線基板と、
を有し、上記フレキシブルプリント配線基板を上記第２の組み立てユニットに装備した後、上記第１の組み立てユニットに上記第２の組み立てユニットを組み込むときに上記フレキシブル電気基板を所定の曲げ形状に変形して組み込まれる構造を有することを特徴とするフレキシブルプリント配線基板内蔵の機器。
【請求項４】
ランドと上記ランドに実装された導線とを有するフレキシブルプリント配線基板と、機器内部に収納され、上記機器の一部を構成するユニットとを有する上記機器の組み立て方法において、
上記フレキシブルプリント配線基板を上記ユニツトに実装した後に、上記導線を塑性変形させ、上記導線に沿って上記フレキシブルプリント配線基板を所定の曲げ形状に変形させて組み立てられることを特徴とするフレキシブルプリント配線基板内蔵の機器の組み立て方法。
【請求項５】
機器に組み付けられる第１の組み立てユニツトと、上記機器に組み付けられる第２の組み立てユニツトと、可塑性電気材が実装されたフレキシブルプリント配線基板とを有する上記機器の組み立て方法において、
上記フレキシブルプリント配線基板を上記第２の組み立てユニツトに装備した後、上記第１の組み立てユニットに上記第２の組み立てユニットを組み込むときに上記フレキシブルプリント配線基板を所定の曲げ形状に変形させて組み込むことを特徴とするフレキシブルプリント配線基板内蔵の機器の組み立て方法。
【発明の詳細な説明】
【０００１】
【発明の属する技術分野】
本発明は、フレキシブルプリント配線基板を適用するユニットを内蔵する機器、および、上記機器の組み立て方法に関する。
【０００２】
【従来の技術】
従来、フレキシブルプリント配線基板（以下、ＦＰＣと記載する）が組み込まれる小型電気機器において、上記ＦＰＣは、リード線の接続を減らし、上記ＦＰＣの取り扱いを簡単にするためにできるだけ単一のＦＰＣが適用される。そのＦＰＣを機器本体に組み込む際に上記ＦＰＣを機器本体の形状に合わせて成形しながら組み込む必要があり、組み付けにくく、場合によっては、上記ＦＰＣを他の部材に引っかけて破損するといった不安もあった。
【０００３】
上記問題を解決するものとして特開昭５４−９３４５５号公報に提案されたものは、ＦＰＣを箱形形状にして機器への組み込みを行う小型電子機器実装用プリント配線基板構造に関するものである。この従来のプリント配線基板構造においては、硬質基板とＦＰＣとを貼り合わせ、硬質基板に設けた折り目に沿って硬質基板とＦＰＣを同時に折り曲げることによって上記ＦＰＣを所定の箱形の形状に成形する。その箱形に成形されたＦＰＣおよび硬質基板が機器本体に組み込まれるので組み立て時でのＦＰＣのふらつきなどがなく、組み付けが容易になる。
【０００４】
【発明が解決しようとする課題】
しかし、上述の特開昭５４−９３４５５号公報に提案されたプリント配線基板構造においては、上記ＦＰＣとそのＦＰＣに対応する形状の硬質基板を要し、さらに、その硬質基板をＦＰＣに貼付しなければならないことなどから部品コストや生産性上で不利が避けられなかった。
【０００５】
また、上記特開昭５４−９３４５５号公報に提案されたＦＰＣを機器本体に組み込む場合、上記ＦＰＣを箱形に成形して組み込まれるが、上記箱形成形状態を作業者の手を離したフリーの状態で保持することは困難であり、機器の組み立て手順によっては、組み立てにくい状態も想定される。
【０００６】
本発明は、上述の問題点を解決するためになされたものであり、フレキシブルプリント配線基板の機器への組み付けが容易であり、構造も簡単であるフレキシブルプリント配線基板を内蔵する機器、または、上記機器の組み立て方法を提供することを目的とする。
【０００７】
【課題を解決するための手段】
本発明の請求項１記載のフレキシブルプリント配線基板内蔵の機器は、ランドと、上記ランドに実装された塑性変形可能な導線を有する上記フレキシブルプリント配線基板と、機器内部に納められ、上記機器の一部を構成するユニットとを有し、上記フレキシブルプリント配線基板を上記ユニットに実装した後に、上記導線を塑性変形させ、この導線に沿って上記フレキシブルプリント配線基板を所定の曲げ形状にして組み立てられる構造を有している。
【０００８】
本発明の請求項２記載のフレキシブルプリント配線基板内蔵の機器は、機器に組み付けられる第１の組み立てユニットと、上記機器に組み付けられる第２の組み立てユニットと、上記第２の組み立てユニットに装備された後、上記第１の組み立てユニットに上記第２の組み立てユニットを組み込むときに実装された導線を塑性変形させ、所定の曲げ形状に変形されるフレキシブルプリント配線基板とを有しており、上記所定形状に変形されたフレキシブルプリント配線基板を有する第２の組み立てユニットが第１の組み立てユニットに組み付けられる。
【０００９】
本発明の請求項３記載のフレキシブルプリント配線基板内蔵の機器は、機器に組み付けられる第１の組み立てユニットと、上記機器に組み付けられる第２の組み立てユニットと、可塑性電気材が実装されたフレキシブルプリント配線基板とを有し、上記フレキシブルプリント配線基板を上記第２の組み立てユニットに装備した後、上記第１の組み立てユニットに上記第２の組み立てユニットを組み込むときに上記フレキシブル電気基板を所定の曲げ形状に変形して組み込まれる構造を有している。
【００１０】
本発明の請求項４記載のフレキシブルプリント配線基板内蔵の機器の組み立て方法では、ランドと上記ランドに実装された導線とを有するフレキシブルプリント配線基板と、機器内部に収納され、上記機器の一部を構成するユニットとを有する上記機器の組み立て方法において、上記フレキシブルプリント配線基板を上記ユニツトに実装した後に、上記導線を塑性変形させ、上記導線に沿って上記フレキシブルプリント配線基板を所定の曲げ形状に変形させて組み立てられる。
【００１１】
本発明の請求項５記載のフレキシブルプリント配線基板内蔵の機器の組み立て方法では、機器に組み付けられる第１の組み立てユニツトと、上記機器に組み付けられる第２の組み立てユニツトと、可塑性電気材が実装されたフレキシブルプリント配線基板とを有する上記機器の組み立て方法において、上記フレキシブルプリント配線基板を上記第２の組み立てユニツトに装備した後、上記第１の組み立てユニットに上記第２の組み立てユニットを組み込むときに上記フレキシブルプリント配線基板を所定の曲げ形状に変形させて組み込まれる。
【００１２】
【発明の実施の形態】
以下、図を用いて本発明の各実施の形態について説明する。
図１は、本発明の第１の実施形態の機器に内蔵可能なフレキシブルプリント配線基板（以下、ＦＰＣと記載する）の分解斜視図であり、図２は、上記ＦＰＣの折り曲げ前の状態での斜視図であり、図３は、上記ＦＰＣの折り曲げ状態を図２のＡ−Ａ断面で示した図である。
【００１３】
本実施形態のＦＰＣユニット１は、図１の斜視図に示すようにＦＰＣ２と、ＦＰＣ２上に実装される部材としての塑性変形可能な電気導線である錫メッキ銅線（以下、錫メッキ線と記載）３、および、電気素子部材（図示せず）とからなる。
【００１４】
なお、上記錫メッキ線３は、若干の剛性を有しながらもある程度の力量によって塑性変形が可能な可塑性電気線であり、塑性変形後は、その変形形状を保持するものである。また、後述する本発明における他の実施形態に適用する錫メッキ線も同様の線材である。
【００１５】
上記ＦＰＣユニット１は、後述する折り曲げ線２ｃ（図２）に沿って直角に折り曲げられた状態で機器内部に納められる構成ユニットに組み付けられる。
【００１６】
上記ＦＰＣユニット１には、折り曲げ線２ｃの直交する方向に跨って配置される２つのランドパターン（以下、ランドと記載）２ａが設けられる。そのランド２ａの両外側離間距離Ｌ２　は、上記錫メッキ線３の長さＬ１　よりわずかに長い距離とする。また、ＦＰＣ２には、折り曲げ線２ｃとランド２ａを結ぶ線の交叉する部分に折り曲げ線２ｃと直交方向の長穴である逃げ穴２ｂが設けられる。
【００１７】
直線状の上記錫メッキ線３は、その両端をランド２ａ上で半田４により半田付けされて、逃げ穴２ｂ上で折り曲げ線２ｃに直交した姿勢でＦＰＣ２上に実装、固定される。
【００１８】
錫メッキ線３が固定されたＦＰＣユニット１は、他の構成ユニットに取り付けるに際して、その取り付け後に図２の折り曲げ線２ｃに沿ってＤ方向に直角に折り曲げられる。図３の断面図は、その曲げ状態を示しており、錫メッキ線３が塑性変形することからＦＰＣ２は、直角に折り曲げられた形状に保持される。
【００１９】
また、ＦＰＣユニット１の上記折り曲げ状態で錫メッキ線３の折り曲げ外側カド部は、逃げ穴２ｂに入り込む状態となり、ＦＰＣ２が突っ張った状態が避けられる。なお、上記錫メッキ線３は、必ずしも電気接続機能を有する必要はないが、電気接続機能を兼ねることも可能である。
【００２０】
ここで、ＦＰＣ２に逃げ穴２ｂがある場合とない場合の折り曲げ部について説明する。図６は、逃げ穴のあるＦＰＣ２の折り曲げ部の拡大断面図である。折り曲げ状態においては、錫メッキ線３は、図６に示すように中立線Ｎを中心にして外側が伸び、内側が圧縮される。すなわち、曲げ範囲の角度θの曲げ範囲の中立線Ｎ上の長さをＥｎとし、外側の長さをＥｏとし、内側の長さをＥｉとし、中立線Ｎ上の曲げ半径をＲとすると、上記各長さは、
Ｅｎ＝Ｒ×θ
Ｅｏ＝（Ｒ＋Ｄ／２）×θ
Ｅｉ＝（Ｒ−Ｄ／２）×θ
となる。
【００２１】
一方、ＦＰＣ２の曲げ範囲の角度θの折り曲げ状態での長さは、中立線Ｎ上の長さＥｏに略等しいとすれば、結果的に錫メッキ線３の外側の伸び分Ｄ／２×θがＦＰＣ２の逃げ穴２ｃの中に入り込む状態となり、ＦＰＣ２の突っ張っり状態が避けられる。ＦＰＣ２の突っ張りがなければ、ＦＰＣ２に内部応力が生じることもなく、ＦＰＣユニット１の折り曲げ状態が安定して保持される。
【００２２】
それに対して図４の斜視図に示す逃げ穴のないＦＰＣ２′を適用したＦＰＣユニット１′の場合を考えてみると、上記逃げ穴が設けられていないので、図４のＢ−Ｂ断面で示した図５の折り曲げ状態のＦＰＣユニット１′のように錫メッキ線３の曲げ部外側でＦＰＣ２′を圧迫した状態になる。したがって、ＦＰＣ２′が突っ張っり、折り曲げ角度が戻されるような状態になって、折り曲げ形状が安定しない。また、ＦＰＣ２′が突っ張った状態では、剪断力によって生ずる剪断応力が原因で半田付け部が剥離する可能性もある。ＦＰＣ２′の折り曲げ時の曲げ半径が大きい場合は、上述したような突っ張るような現象は生じないので特に逃げ穴を設ける必要はない。
【００２３】
上記図３，５の折り曲げ状態は、錫メッキ線３を内側にしてＦＰＣ２を折り曲げた場合を示しているが、その折り曲げ方向の変形例として錫メッキ線を外側にしてＦＰＣを折り曲げる構造を採用することも可能である。この変形例のＦＰＣの場合は、錫メッキ線の曲げ内側の圧縮部分がＦＰＣの逃げ穴に入り込む状態になり、ＦＰＣ側に弛みが生じることがなく、同様に半田付け部の剥離等が発生しにくい。
【００２４】
次に、本発明の第２の実施形態の機器に内蔵可能なフレキシブル電気配線基板装置であるＦＰＣ５について図７，８を用いて説明する。
図７は、上記ＦＰＣの折り曲げ前の斜視図であり、図８は、上記ＦＰＣの折り曲げ状態を図７のＸ１　−Ｘ１　断面で示す図である。
【００２５】
上記ＦＰＣユニット５は、図７の斜視図に示すようにＦＰＣ６と、ＦＰＣ６上に実装される部材としての先端曲げ部７ａを有する塑性変形可能な電気導線である錫メッキ線７、および、電気素子部材（図示せず）とからなる。上記ＦＰＣユニット５もＦＰＣ１と同様に他の構成ユニットに取り付け後、後述する折り曲げ線６ｃに沿って直角に折り曲げられる。
【００２６】
上記ＦＰＣ６には、折り曲げ線６ｃで分割される一方の面上に折り曲げ線６ｃに直交する方向に沿って配置される２つのランド６ａが設けられる。また、ＦＰＣ６には、折り曲げ線６ｃ上であって、錫メッキ線７が交叉する部分に切り欠き６ｂが設けられている。
【００２７】
上記錫メッキ線７は、先端曲げ部７ａと反対側の２箇所のランド６ａ上で半田８により半田付けされて実装、固定される。その後、錫メッキ線７の先端曲げ部７ａ側を切り欠き６ｂからＦＰＣ６の裏面側に移動させる。
【００２８】
上記錫メッキ線７が固定されたＦＰＣユニット５は、上記他の構成ユニットに取り付け後、錫メッキ線７の先端曲げ部７ａを外側にして塑性変形させ、ＦＰＣ６を折り曲げ線６ｃに沿って直角に折り曲げる。図７のＸ１　−Ｘ２　断面図である図８は、その曲げ状態を示しており、錫メッキ線７の先端曲げ部７ａでＦＰＣ６の裏面を押圧することから、ＦＰＣ６は上記折り曲げ形状に保持される。
【００２９】
ＦＰＣユニット５においては、錫メッキ線７の先端曲げ部７ａ側がフリーの状態であることからＦＰＣ６が突っ張ったり、あるいは、弛んだりすることがなく安定した折り曲げ形状が保持される。
【００３０】
次に、本発明の第３の実施形態の機器に内蔵可能なフレキシブル配線基板であるＦＰＣ９について図９，１０を用いて説明する。
図９は、上記ＦＰＣの折り曲げ前の斜視図であり、図１０は、上記ＦＰＣの折り曲げ状態を図９のＸ２　−Ｘ２　断面で示す図である。
【００３１】
上記ＦＰＣユニット９は、図９の斜視図に示すようにＦＰＣ１０と、先端曲げ部１１ａを有する塑性変形可能な電気導線である錫メッキ線１１と、ＦＰＣ１０上に実装される電気素子部材（図示せず）とからなる。上記ＦＰＣ９もＦＰＣ１と同様に他の構成ユニットに取り付けた後、後述する折り曲げ線１０ｃに沿って直角に折り曲げられる。
【００３２】
上記ＦＰＣ１０には、折り曲げ線１０ｃで分割される一方の面上に折り曲げ線１０ｃに直交する方向に沿って２つのランド１０ａが設けられる。また、ＦＰＣ１０には、折り曲げ線１０ｃ上の錫メッキ線１１が交叉する部分に挿通穴部１０ｂが設けられる。
【００３３】
上記錫メッキ線１１は、ＦＰＣ１０上に固定するに際して先端曲げ部１１ａ側を挿通穴部１０ｂから裏面側に挿通させた状態に保持する。そして、上記保持状態で錫メッキ線１１の先端曲げ部１１ａと反対側の２箇所のランド１０ａ上で半田１２により半田付けされ、折り曲げ線１０ｃに直交した姿勢で実装、固定される。
【００３４】
錫メッキ線１１が固定されたＦＰＣユニット９は、上記他の構成ユニットに組み付けるに際して、錫メッキ線１１の先端曲げ部１１ａを外側にして塑性変形させながらＦＰＣ１０が折り曲げ線１０ｃに沿って直角に折り曲げられる。図９のＸ２　−Ｘ２　断面図である図１０は、その曲げ状態を示しており、錫メッキ線１１の先端曲げ部１１ａでＦＰＣ１０の裏面を押圧し、ＦＰＣ１０は、直角に折り曲げられた形状に保持される。上記折り曲げ状態で錫メッキ線１１の先端曲げ１１ａ側がフリー状態であることからＦＰＣ１０は突っ張り状態、または、弛む状態にならない。
【００３５】
次に、本発明の第４の実施形態であるＦＰＣ内蔵の機器であるカメラ５０について、図１１〜１４を用いて説明する。
図１１は、上記カメラの分解斜視図である。図１２は、上記カメラに内蔵される制御回路用ＦＰＣユニットの組み込み前の状態での正面図である。図１３は、上記カメラに組み込まれるカメラ本体ユニットと上記カメラ制御回路用ＦＰＣユニットの分解斜視図である。図１４は、上記制御回路用ＦＰＣユニットが実装された上記カメラ本体ユニットとＡＦ用ＦＰＣユニットの分解斜視図である。
【００３６】
上記カメラ５０は、図１１に示すように第１の組み立てユニットである前カバー５１および後カバー５２と、機器の一部を構成する第２の組み立てユニットであるカメラ本体ユニット２１とを有してなり、上記カメラ本体ユニット２１の前後に上記前カバー５１および後カバー５２を取り付けるとカメラ５０が完成する。
【００３７】
上記前カバー５１は、カメラ本体ユニット２１の前面を覆うカバー部材であって、その前面部に撮影レンズ開口部５１ａと、ファインダ窓５１ｂと、測距用受光窓５１ｃ，５１ｄと。ストロボ発光窓５１ｅとが配置され、その上面部にレリーズ釦５１ｆが配置されている。
【００３８】
上記後カバー５２は、カメラ本体ユニット２１の背面を覆うカバー部材であって、その背面部にファインダ接眼窓５２ａが配置されている。
【００３９】
上記カメラ本体ユニット２１は、主に左右に配置されるフィルムカートリッジ室部２２ａ，スプール室部２２ｂを有するカメラ本体２２と、カメラ本体２２の前面部に配置される撮影レンズ鏡筒２３と、ＡＦ用ＦＰＣユニット３１と、カメラ制御のための制御回路用ＦＰＣユニット４１と、さらに、上面部に配置されるファインダユニット２４，ストロボ発光ユニット２５とを有してなる。
【００４０】
上記ＡＦ用ＦＰＣユニット３１は、図１４の斜視図に示すように測距部を内蔵するオートフォーカス回路ユニットであるＡＦ本体部３０と上記ＡＦ本体部３０が実装されるＡＦ用ＦＰＣ３２とからなる。ＡＦ本体部３０には、測距用受光レンズ３０ａ，３０ｂを有している。また、上記ＡＦ用ＦＰＣ３２には、制御回路用のＦＰＣ４２の接点パターン４２ｃに接続可能な接点パターン３２ｃと、カメラ本体への取り付け穴３２ａと、回転止め穴３２ｂとが設けられる。さらに、ＦＰＣ３２の折り曲げ部には、前記第１実施形態等に示した錫メッキ線３と同様の錫メッキ線（図示せず）が配置されている。そして、カメラ本体２２への組み付け前、または、組み付け後、上記錫メッキ線を折り曲げてＦＰＣ３２を実装状態に成形する。
【００４１】
上記制御回路用ＦＰＣユニット４１は、図１２の正面図に示すようにＦＰＣ４２と、ＦＰＣ４２の後述する折り曲げ線４２ｉを境にした一方側の第１の領域の大きな平面部に実装される部材であって、カメラ制御用ＣＰＵ（ＣＯＢタイプ）４３、および、他の電装部材、さらに、ＦＰＣ４２上に半田付けされる塑性変形可能な電気導線である錫メッキ線４４，４５と、さらに、上記折り曲げ線４２ｉを境にした他方側の第２の領域の小さな平面部に実装される他の電装部材（図示せず）を有してなる。
【００４２】
上記ＦＰＣ４２は、中央部に上記レンズ鏡筒部２３を避けるためのくびれ部４２ａを有している。また、上記くびれ部４２ａの右側（図１２上）に接点群からなる接点パターン部（電気的接続部）４２ｃと、接点パターン位置決め用のボス穴４２ｂおよびピン穴４２ｄとが設けられ、また、上記くびれ部４２ａの左側（図１２上）にＦＰＣ４２取り付け用のビス挿通穴４２ｅが設けられる。また、錫メッキ線４４の半田付け用として上記くびれ部４２ａを跨いで２つのランド４２ｆが設けられ、さらに、錫メッキ線４５の半田付け用として左方上部に左右方向に延びる折り曲げ線４２ｉを跨いだ状態で上記折り曲げ線４２ｉと直交方向に２つのランド４２ｇが設けられる。また、折り曲げ線４２ｉ上の錫メッキ線４５が交叉する位置に交叉方向の長穴である逃げ穴４２ｈが設けられている。
【００４３】
上記錫メッキ線４４，４５は、ＦＰＣ４２のくびれ部４２ａ、または、折り曲げ線４２ｉを跨いだ状態で２つのランド４２ｆ、または、４２ｇにて表面側（図１２上）に半田付けされる。
【００４４】
錫メッキ線４４は、組み付け時に変形させる必要がないので必ずしも塑性変形な線材である必要はない。そして、この線材４４としては、上述してきたような単一の銅材でできたある程度の剛性のある線材であれば、ＦＰＣ４２のくびれ部分の平面を確保できて、組み立て時の取り扱いが容易になる。
【００４５】
上記錫メッキ線４５は、前記第１実施形態にて適用された上記錫メッキ線３と同様に若干の剛性を有しながらもある程度の力量によって塑性変形が可能な可塑性電気線であり、塑性変形後は、その変形形状を保持するものである。
【００４６】
上記ＦＰＣ４２の逃げ穴４２ｈは、後述するようにカメラ本体２２に取り付けられた後、上記錫メッキ線４５を折り曲げたときの逃げ穴になる。
【００４７】
次に、上述した構成を有する本実施形態のカメラ５０の組み立て手順について説明する。
【００４８】
まず、図１３，１４の斜視図に示すように制御回路用ＦＰＣユニット４１およびＡＦ用ＦＰＣユニット３１をファインダユニット２４等が組み込まれたカメラ本体ユニット２１のカメラ本体２２に取り付ける。すなわち、図１３の斜視図に示すように制御回路用ＦＰＣユニット４１を錫メッキ線４４，４５を外側にしてカメラ本体２２のボス部２２ｃと位置決めピン２２ｄとをＦＰＣ４２のボス穴４２ｂと位置決めピン穴４２ｄに挿通させる。そこで、ビス４８をＦＰＣ４２のビス挿通穴４２ｅに挿通させてカメラ本体のネジ穴２２ｅに螺着し、上記ＦＰＣユニット４１を取り付け状態（実装状態）とする。
【００４９】
続いて、図１４に斜視図に示すように上記制御回路用ＦＰＣユニット４１が実装された状態のカメラ本体ユニット２１にＡＦユニット３０が実装されたＡＦ用ＦＰＣユニット３１を取り付ける。その場合、ＡＦユニット３０の部分をカメラ本体２２の上部所定位置に固着して、ＦＰＣ４２の接点パターン部４２ｃが挿入されているカメラ本体２１のボス部２２ｃと位置決めピン２２ｄにＦＰＣ３２のボス穴３２ａと位置決めピン穴３２ｂを挿入する。ゴム座３３と座金３４を当ててビス４９をボス部２２ｃのネジ部に螺着し、ＦＰＣ４２とともにＦＰＣ３２を共締め状態で固着する。
【００５０】
そこで、上記制御回路用ＦＰＣユニット４１のＦＰＣ４２の本体上方に突出した部分（前記第２の領域の部分）を錫メッキ線４５とともに折り曲げ線４２ｉに沿ってカメラ本体２１側にＤ方向に折り曲げて成形し、ＦＰＣ４２をカメラ本体２２の上面部に沿った状態とする（図１１）。すなわち、錫メッキ線４５が折り曲げられ、塑性変形を起こして、この塑性変形が保持されて上記制御回路用ＦＰＣユニット４１の上記第２の領域の折り曲げ状態の保持される。なお、上記折り曲げ成形状態では、前記第１の実施形態のＦＰＣユニット１に対して折り曲げ方向を逆にした変形例の構造で説明したように錫メッキ線４５の折り曲げ部分が逃げ穴４２ｈで逃げるのでＦＰＣ４２にたるみ等が発生しない。
【００５１】
上記制御回路用ＦＰＣユニット４１と上記ＡＦ用ＦＰＣユニット付きＡＦユニット３１が取り付けられた状態のカメラ本体ユニット２１は、ユニットとしての組み立て完了の状態であり、制御回路用ＦＰＣユニット４１の接点パターン部４２ｃとＡＦ用ＦＰＣユニット３１の接点パターン部３２ｃとの電気的接続がなされており、動作確認が可能な状態である。
【００５２】
続いて、上記カメラ本体ユニット２１の前面側と背面側とに前カバー５１および後カバー５２を組み付け、ビス等により固着すると、カメラ５０が完成する。
【００５３】
上述した本実施形態のカメラ５０の構造によると、カメラ本体ユニット２１に前カバー５１および後カバー５２を組み付け前のカメラ本体ユニット２１に対して、制御回路用ＦＰＣユニット４１とＡＦ用ＦＰＣユニット３１とが取り付けられた状態では、ＦＰＣ４２とＦＰＣ３２とがふらつくことなく保持されている。したがって、前カバー５１および後カバー５２装着前の動作確認作業、さらに、前カバー５１および後カバー５２組み付け作業に際して上記ＦＰＣ４２，３２が邪魔にならず、上記ＦＰＣを障害物に引っかける等の事故も生じにくい。また、上記ＦＰＣ４２の上方部を折り曲げ線４２ｉに沿って折り曲げ成形作業をＦＰＣ４２をカメラ本体２２に装着した状態で行うので上記折り曲げ作業がやりやすく、ＦＰＣ４２の折り曲げ部分が確実にカメラ本体２２上に沿って確実に折り曲げられる。
【００５４】
また、上記ＦＰＣユニットの折り曲げ成形作業が簡単であることからＦＰＣユニットを平面状態のままで保管、または、搬送することが可能である。
【００５５】
上述した各実施形態に適用される錫メッキ線に代えて、軟銅線材、あるいは、薄い塑性変形可能な金属板などの電気材料を適用してもよい。また、特に電気接続用の線材として用いない場合には、塑性変形可能な非電導材料を適用してもよい。あるいは、絶縁材料で被覆した塑性変形可能な金属線材を適用してもよい。このように表面を非電導とすることでＦＰＣ側の金属線材、ＦＰＣまたはプリント配線基板上の導電部との接触のおそれがなくなる。なお、上記錫メッキ線のＦＰＣへの実装、または、プリント配線基板への実装は、自動マウント、または、手動マウントのいずれでもよい。
【００５６】
また、ＦＰＣの機器ユニットへの組み付け時における上記錫メッキ線の曲げ角度も直角に限らず、機器ユニットの直角以外の形状に合わせて所定の曲率をもって塑性変形させるようにしてもよい。また、上述した各実施形態では、折り曲げ線に対して錫メッキ線を直交させて固定するようにしたが、これに限らず、錫メッキ線は、許容される配置で塑性変形可能な範囲で折り曲げ線に対して傾斜させて固定してもよい。
【００５７】
また、前記第４の実施形態の適用したＦＰＣユニット４１の錫メッキ線の実装状態は、図１２に示すものに限らず、カメラ本体ユニットの形状によって、前記第１〜第３実施形態のＦＰＣユニットに示した錫メッキ線の実装形状を選択して採用することも可能である。
【００５８】
【発明の効果】
上述したように本発明によれば、フレキシブル配線基板を機器のユニットに取り付けた状態で折り曲げ部に実装された導線を折り曲げることによって上記フレキシブル配線基板が成形されるので、上記フレキシブル配線基板は、ユニットの形状に沿って確実に成形され、その後のユニットの組み立て作業を容易に行うことができるフレキシブル配線基板内蔵の機器、または、上記機器の組み立て方法を提供することができる。
【図面の簡単な説明】
【図１】本発明の第１の実施形態の機器に内蔵可能なＦＰＣユニットの分解斜視図である。
【図２】上記図１に示す第１の実施形態のＦＰＣユニットの折り曲げ前の状態での斜視図である。
【図３】上記図２のＡ−Ａ断面図であって、上記図１に示す第１の実施形態のＦＰＣユニットの折り曲げ状態を示す。
【図４】上記図１に示す第１の実施形態のＦＰＣユニットに関連する逃げ穴のないＦＰＣユニットの斜視図である。
【図５】上記図４のＢ−Ｂ断面図であって、上記図４に示すＦＰＣユニットの折り曲げ状態を示す図である。
【図６】上記図１に示す第１の実施形態のＦＰＣユニットにおけるＦＰＣの折り曲げ部の拡大断面図である。
【図７】本発明の第２の実施形態の機器に内蔵可能なＦＰＣユニットの折り曲げ前の斜視図である。
【図８】上記図７に示す第２の実施形態のＦＰＣユニットの折り曲げ状態での断面図である。
【図９】本発明の第３の実施形態の機器に内蔵可能なＦＰＣユニットの折り曲げ前の斜視図である。
【図１０】上記図９に示す第３の実施形態のＦＰＣユニットの折り曲げ状態での断面図である。
【図１１】本発明の第４の実施形態のＦＰＣ内蔵の機器であるカメラの分解斜視図である。
【図１２】上記図１１の第４の実施形態のカメラに内蔵される制御回路用ＦＰＣユニットの正面図である。
【図１３】上記図１１の第４の実施形態のカメラに組み込まれるカメラ本体ユニットと上記制御回路用ＦＰＣユニットの分解斜視図である。
【図１４】上記図１１の第４の実施形態のカメラにおける制御回路用ＦＰＣユニットが実装されたカメラ本体ユニットとＡＦ用ＦＰＣユニットとの分解斜視図である。
【符号の説明】
１，５，９
…ＦＰＣユニット
（フレキシブル配線基板）
２ａ，６ａ，１０ａ，４２ｇ
…ランド
３，７，１１，４５
…錫メッキ線（導線）
２１　…カメラ本体ユニット
（ユニット，第２の組み立てユニット）
４１　…制御回路用ＦＰＣユニット
（フレキシブル配線基板）
５１　…前カバー（第１の組み立てユニット）
５２　…後カバー（第１の組み立てユニット）
【図１】
2004070175.tif 000003
【図２】
2004070175.tif 000004
【図３】
2004070175.tif 000005
【図４】
2004070175.tif 000006
【図５】
2004070175.tif 000007
【図６】
2004070175.tif 000008
【図７】
2004070175.tif 000009
【図８】
2004070175.tif 000010
【図９】
2004070175.tif 000011
【図１０】
2004070175.tif 000012
【図１１】
2004070175.tif 000013
【図１２】
2004070175.tif 000014
【図１３】
2004070175.tif 000015
【図１４】
2004070175.tif 000016